(57)【要約】【課題】トナーの消費及び生産性の低下を抑制しつつ、出力画像の補正を精度良く行うことが可能な画像形成装置及び補正制御プログラムを提供する。【解決手段】画像形成装置は、ユーザーが所望する画像であって、所定のパターンとは異なる画像を用紙に形成する画像形成部と、画像形成部により第１用紙に形成された第１画像の出力情報を検出する出力情報検出部と、出力情報検出部による第１画像の検出結果と、第１用紙の後の第２用紙に画像形成部により形成された第２画像の画像情報とに応じて、第１用紙及び第２用紙の後の第３用紙に形成される第３画像の補正量を取得する補正量取得部と、補正量取得部により取得された補正量に基づいて第３画像を補正するように画像形成部を制御する補正量制御部と、を備える。【選択図】図３
2019040018.tif 000002
【特許請求の範囲】
【請求項１】
ユーザーが所望する画像であって、所定のパターンとは異なる画像を用紙に形成する画像形成部と、
前記画像形成部により第１用紙に形成された第１画像の出力情報を検出する出力情報検出部と、
前記出力情報検出部による前記第１画像の検出結果と、前記第１用紙の後の第２用紙に前記画像形成部により形成された第２画像の画像情報とに応じて、前記第１用紙及び前記第２用紙の後の第３用紙に形成される第３画像の補正量を取得する補正量取得部と、
前記補正量取得部により取得された前記補正量に基づいて前記第３画像を補正するように前記画像形成部を制御する補正量制御部と、
を備える画像形成装置。
【請求項２】
前記出力情報検出部は、前記第２用紙に形成された前記第２画像の出力情報を検出し、
前記補正量取得部は、前記出力情報検出部による前記第２画像の検出結果と、前記第３画像の補正量との少なくとも一方を用いて、前記第３用紙の後の第４用紙に形成される第４画像の補正量を取得する、
請求項１に記載の画像形成装置。
【請求項３】
前記補正量取得部は、
前記第１画像の出力情報に基づいて前記第３画像の仮補正量を取得し、前記第２画像の出力情報に基づいて前記第４画像の仮補正量を取得し、
前記第１画像の画像情報及び前記第２画像の画像情報に基づいて、各仮補正量の適用割合をそれぞれ決定し、
各適用割合及び各仮補正量に基づいて、前記第３画像の補正量及び前記第４画像の補正量を取得する、
請求項２に記載の画像形成装置。
【請求項４】
前記補正量取得部は、前記第１画像の画像情報及び前記第２画像の画像情報に基づいて、各画像情報のそれぞれに信頼度を設定し、
各信頼度のうち、高い方の信頼度の画像に基づいて取得される仮補正量の適用割合は、低い方の信頼度の画像に基づいて取得される仮補正量の適用割合よりも大きく設定される、
請求項３に記載の画像形成装置。
【請求項５】
特定色のみの画像情報が含まれる第１画像の画像情報に設定される信頼度は、前記特定色を含む複数色から混合された混合色の画像情報が含まれ、かつ、前記特定色のみの画像情報が含まれない第２画像の画像情報に設定される信頼度よりも高い、
請求項４に記載の画像形成装置。
【請求項６】
前記信頼度は、前記画像情報に含まれる画素数が少なくなるほど、低くなるように設定される、
請求項４または請求項５に記載の画像形成装置。
【請求項７】
前記信頼度は、前記画像情報に含まれる複数の画素の分散度合いが少ないほど、低くなるように設定される、
請求項４〜６の何れか１項に記載の画像形成装置。
【請求項８】
前記第３用紙は、前記第１用紙の所定枚数後に画像形成され、
前記補正量制御部は、印刷処理条件に応じて前記所定枚数を変更する制御を行う、
請求項１〜７の何れか１項に記載の画像形成装置。
【請求項９】
ユーザーが所望する画像であって、所定のパターンとは異なる画像を用紙に形成する画像形成部を備える画像形成装置の補正制御プログラムであって、
コンピューターに、
前記画像形成部により第１用紙に形成された第１画像の出力情報を検出する出力情報検出処理と、
前記第１画像の検出結果と、前記第１用紙の後の第２用紙に前記画像形成部により形成された第２画像の画像情報とに応じて、前記第１用紙及び前記第２用紙の後の第３用紙に形成される第３画像の補正量を取得する補正量取得処理と、
取得した前記補正量に基づいて前記第３画像を補正するように前記画像形成部を制御する補正量制御処理と、
を実行させる、
補正制御プログラム。
【発明の詳細な説明】
【技術分野】
【０００１】
本発明は、画像形成装置および補正制御プログラムに関する。
【背景技術】
【０００２】
一般に、電子写真プロセス技術を利用した画像形成装置（プリンター、複写機、ファクシミリ等）は、帯電した感光体ドラム（像担持体）に対して、画像データに基づくレーザー光を照射（露光）することにより静電潜像を形成する。そして、静電潜像が形成された感光体ドラムへ現像装置よりトナーを供給することにより静電潜像を可視化してトナー像を形成する。さらに、このトナー像を直接または間接的に用紙に転写させた後、定着ニップで加熱、加圧して定着させることにより用紙にトナー像を形成する。
【０００３】
用紙に形成された出力画像は、画像形成装置において入力された入力画像と一致することが好ましいが、周囲の環境、用紙の種類や耐久条件に応じて、出力画像と入力画像とが一致しない場合がある。そのため、画像形成装置においては、例えば所定のタイミングで印刷ジョブを中断し、パッチ画像を形成して当該パッチ画像の濃度を検出することにより、出力画像の補正を行う技術が知られている。
【０００４】
例えば、特許文献１には、出力画像の濃度変動に影響を与える因子の変動量に応じて補正を行うためのパッチ画像の数を決定し、当該パッチ画像に基づいて出力画像の補正を行う技術が開示されている。
【先行技術文献】
【特許文献】
【０００５】
【特許文献１】特開２００８−２２４８４５号公報
【発明の概要】
【発明が解決しようとする課題】
【０００６】
しかしながら、出力画像の補正を行うためにパッチ画像を形成する場合、トナーを余計に消費してしまうとともに、印刷ジョブを中断する必要があるため、生産性を低下させてしまうという問題があった。なお、印刷ジョブを中断させないためには、用紙の余白エリアにパッチ画像を形成する必要があるが、用紙の余白エリアがない場合、パッチ画像を形成することができない。
【０００７】
一方、上記問題を抑制するために、例えば、用紙に形成された出力画像を利用して、その後の用紙に形成される出力画像の補正を行うことが考えられる。このような補正は、図１に示すように、用紙Ｓ１に形成された出力画像（ブルー（Ｂｌｕｅ）の画像と、シアン（Ｃｙａｎ）の画像）を測色部により測色する。そして、測色部による検出結果を、画像形成部にフィードバックして、当該検出結果に基づいて用紙Ｓ１の後の用紙Ｓ４の出力画像の補正を行うことが可能となる。
【０００８】
しかしながら、用紙Ｓ１の出力画像を測色してから、画像形成部に検出結果がフィードバックされるまでの間、ある程度時間がかかる。図１では、用紙Ｓ１の後における、用紙Ｓ２，Ｓ３の次の用紙Ｓ４の出力画像の補正に反映される。その理由としては、用紙Ｓ１の出力画像が測色されている間に、画像形成部において、用紙Ｓ２，Ｓ３に係る入力画像が入力されているためである。
【０００９】
図１では、用紙Ｓ４の出力画像に用紙Ｓ１の検出結果に基づく補正が適用されるが、用紙Ｓ２，Ｓ３における出力画像（図１では、用紙Ｓ２におけるマゼンタ（Ｍａｇｅｎｔａ）の画像）については、用紙Ｓ４以降の出力画像の補正に用いられない。そのため、結果的に出力画像の補正に用いる情報が少なくなり、ひいては出力画像の補正の精度が低下するおそれがあった。
【００１０】
本発明の目的は、トナーの消費及び生産性の低下を抑制しつつ、出力画像の補正を精度良く行うことが可能な画像形成装置及び補正制御プログラムを提供することである。
【課題を解決するための手段】
【００１１】
本発明に係る画像形成装置は、
ユーザーが所望する画像であって、所定のパターンとは異なる画像を用紙に形成する画像形成部と、
前記画像形成部により第１用紙に形成された第１画像の出力情報を検出する出力情報検出部と、
前記出力情報検出部による前記第１画像の検出結果と、前記第１用紙の後の第２用紙に前記画像形成部により形成された第２画像の画像情報とに応じて、前記第１用紙及び前記第２用紙の後の第３用紙に形成される第３画像の補正量を取得する補正量取得部と、
前記補正量取得部により取得された前記補正量に基づいて前記第３画像を補正するように前記画像形成部を制御する補正量制御部と、
を備える。
【００１２】
本発明に係る補正制御プログラムは、
ユーザーが所望する画像であって、所定のパターンとは異なる画像を用紙に形成する画像形成部を備える画像形成装置の補正制御プログラムであって、
コンピューターに、
前記画像形成部により第１用紙に形成された第１画像の出力情報を検出する出力情報検出処理と、
前記第１画像の検出結果と、前記第１用紙の後の第２用紙に前記画像形成部により形成された第２画像の画像情報とに応じて、前記第１用紙及び前記第２用紙の後の第３用紙に形成される第３画像の補正量を取得する補正量取得処理と、
取得した前記補正量に基づいて前記第３画像を補正するように前記画像形成部を制御する補正量制御処理と、
を実行させる。
【発明の効果】
【００１３】
本発明によれば、トナーの消費及び生産性の低下を抑制しつつ、出力画像の補正を精度良く行うことができる。
【図面の簡単な説明】
【００１４】
【図１】用紙に形成された画像の情報がフィードバックされる様子を説明するための図である。
【図２】本実施の形態に係る画像形成装置の全体構成を概略的に示す図である。
【図３】本実施の形態に係る画像形成装置の制御系の主要部を示す図である。
【図４】用紙に形成された画像の情報がフィードバックされる様子を説明するための図である。
【図５】用紙に形成された画像の情報がフィードバックされる様子を説明するための図である。
【図６】補正量算出に用いられるパラメーターと、補正量の算出結果とを示す図である。
【図７】画像形成装置における補正制御を実行するときの動作例の一例を示すフローチャートである。
【発明を実施するための形態】
【００１５】
以下、本実施の形態を図面に基づいて詳細に説明する。図２は、本実施の形態に係る画像形成装置１の全体構成を概略的に示す図である。図３は、本実施の形態に係る画像形成装置１の制御系の主要部を示す図である。
【００１６】
図２に示すように、画像形成装置１は、電子写真プロセス技術を利用した中間転写方式のカラー画像形成装置である。すなわち、画像形成装置１は、感光体ドラム４１３上に形成されたＹ（イエロー）、Ｍ（マゼンタ）、Ｃ（シアン）、Ｋ（ブラック）の各色トナー像を中間転写ベルト４２１に一次転写し、中間転写ベルト４２１上で４色のトナー像を重ね合わせた後、給紙トレイユニット５１ａ〜５１ｃから送出された用紙Ｓに二次転写することにより、画像を形成する。
【００１７】
また、画像形成装置１には、ＹＭＣＫの４色に対応する感光体ドラム４１３を中間転写ベルト４２１の走行方向に直列配置し、中間転写ベルト４２１に一回の手順で各色トナー像を順次転写させるタンデム方式が採用されている。
【００１８】
図３に示すように、画像形成装置１は、画像読取部１０、操作表示部２０、画像処理部３０、画像形成部４０、用紙搬送部５０、定着部６０および制御部１０１を備える。
【００１９】
制御部１０１は、ＣＰＵ（Central Processing Unit）１０２、ＲＯＭ（Read Only Memory）１０３、ＲＡＭ（Random Access Memory）１０４等を備える。ＣＰＵ１０２は、ＲＯＭ１０３から処理内容に応じたプログラムを読み出してＲＡＭ１０４に展開し、展開したプログラムと協働して画像形成装置１の各ブロック等の動作を集中制御する。このとき、記憶部７２に格納されている各種データが参照される。記憶部７２は、例えば不揮発性の半導体メモリ（いわゆるフラッシュメモリ）やハードディスクドライブで構成される。
【００２０】
制御部１０１は、通信部７１を介して、ＬＡＮ（Local Area Network）、ＷＡＮ（Wide Area Network）等の通信ネットワークに接続された外部の装置（例えばパーソナルコンピューター）との間で各種データの送受信を行う。制御部１０１は、例えば、外部の装置から送信された画像データ（入力画像データ）を受信し、この画像データに基づいて用紙Ｓに画像を形成させる。通信部７１は、例えばＬＡＮカード等の通信制御カードで構成される。
【００２１】
図２に示すように、画像読取部１０は、ＡＤＦ（Auto Document Feeder）と称される自動原稿給紙装置１１および原稿画像走査装置１２（スキャナー）等を備えて構成される。
【００２２】
自動原稿給紙装置１１は、原稿トレイに載置された原稿Ｄを搬送機構により搬送して原稿画像走査装置１２へ送り出す。自動原稿給紙装置１１により、原稿トレイに載置された多数枚の原稿Ｄの画像（両面を含む）を連続して一挙に読み取ることが可能となる。
【００２３】
原稿画像走査装置１２は、自動原稿給紙装置１１からコンタクトガラス上に搬送された原稿又はコンタクトガラス上に載置された原稿を光学的に走査し、原稿からの反射光をＣＣＤ（Charge Coupled Device）センサー１２ａの受光面上に結像させ、原稿画像を読み取る。画像読取部１０は、原稿画像走査装置１２による読取結果に基づいて入力画像データを生成する。この入力画像データには、画像処理部３０において所定の画像処理が施される。
【００２４】
図３に示すように、操作表示部２０は、例えばタッチパネル付の液晶ディスプレイ（ＬＣＤ：Liquid Crystal Display）で構成され、表示部２１及び操作部２２として機能する。表示部２１は、制御部１０１から入力される表示制御信号に従って、各種操作画面、画像の状態、各機能の動作状況等の表示を行う。操作部２２は、テンキー、スタートキー等の各種操作キーを備え、ユーザーによる各種入力操作を受け付けて、操作信号を制御部１０１に出力する。
【００２５】
画像処理部３０は、入力画像データに対して、初期設定又はユーザー設定に応じたデジタル画像処理を行う回路等を備える。例えば、画像処理部３０は、制御部１０１の制御下で、階調補正データ（階調補正テーブル）に基づいて階調補正を行う。また、画像処理部３０は、入力画像データに対して、階調補正の他、色補正、シェーディング補正等の各種補正処理や、圧縮処理等を施す。これらの処理が施された画像データに基づいて、画像形成部４０が制御される。
【００２６】
図２に示すように、画像形成部４０は、入力画像データに基づいて、Ｙ成分、Ｍ成分、Ｃ成分、Ｋ成分の各有色トナーによる画像を形成するための画像形成ユニット４１Ｙ、４１Ｍ、４１Ｃ、４１Ｋ、中間転写ユニット４２等を備える。
【００２７】
Ｙ成分、Ｍ成分、Ｃ成分、Ｋ成分用の画像形成ユニット４１Ｙ、４１Ｍ、４１Ｃ、４１Ｋは、同様の構成を有する。図示及び説明の便宜上、共通する構成要素は同一の符号で示し、それぞれを区別する場合には符号にＹ、Ｍ、Ｃ、又はＫを添えて示すこととする。図１では、Ｙ成分用の画像形成ユニット４１Ｙの構成要素についてのみ符号が付され、その他の画像形成ユニット４１Ｍ、４１Ｃ、４１Ｋの構成要素については符号が省略されている。
【００２８】
画像形成ユニット４１は、露光装置４１１、現像装置４１２、感光体ドラム４１３、帯電装置４１４、及びドラムクリーニング装置４１５等を備える。
【００２９】
感光体ドラム４１３は、例えばドラム状の金属基体の外周面に、有機光導電体を含有させた樹脂よりなる感光層が形成された有機感光体よりなる。
【００３０】
制御部１０１は、感光体ドラム４１３を回転させる駆動モーター（図示略）に供給される駆動電流を制御することにより、感光体ドラム４１３を一定の周速度で回転させる。
【００３１】
帯電装置４１４は、例えば帯電チャージャーであり、コロナ放電を発生させることにより、光導電性を有する感光体ドラム４１３の表面を一様に負極性に帯電させる。
【００３２】
露光装置４１１は、例えば半導体レーザーで構成され、感光体ドラム４１３に対して各色成分の画像に対応するレーザー光を照射する。その結果、感光体ドラム４１３の表面のうちレーザー光が照射された画像領域には、背景領域との電位差により各色成分の静電潜像が形成される。
【００３３】
現像装置４１２は、二成分逆転方式の現像装置であり、感光体ドラム４１３の表面に各色成分の現像剤を付着させることにより静電潜像を可視化してトナー像を形成する。
【００３４】
現像装置４１２には、例えば帯電装置４１４の帯電極性と同極性の直流現像バイアス、または交流電圧に帯電装置４１４の帯電極性と同極性の直流電圧が重畳された現像バイアスが印加される。その結果、露光装置４１１によって形成された静電潜像にトナーを付着させる反転現像が行われる。
【００３５】
ドラムクリーニング装置４１５は、感光体ドラム４１３の表面に当接され、弾性体よりなる平板状のドラムクリーニングブレード等を有し、中間転写ベルト４２１に転写されずに感光体ドラム４１３の表面に残留するトナーを除去する。
【００３６】
中間転写ユニット４２は、中間転写ベルト４２１、一次転写ローラー４２２、複数の支持ローラー４２３、二次転写ローラー４２４、及びベルトクリーニング装置４２６等を備える。
【００３７】
中間転写ベルト４２１は無端状ベルトで構成され、複数の支持ローラー４２３にループ状に張架される。複数の支持ローラー４２３のうちの少なくとも１つは駆動ローラーで構成され、その他は従動ローラーで構成される。例えば、Ｋ成分用の一次転写ローラー４２２よりもベルト走行方向下流側に配置されるローラー４２３Ａが駆動ローラーであることが好ましい。これにより、一次転写部におけるベルトの走行速度を一定に保持しやすくなる。駆動ローラー４２３Ａが回転することにより、中間転写ベルト４２１は矢印Ａ方向に一定速度で走行する。
【００３８】
中間転写ベルト４２１は、導電性および弾性を有するベルトであり、表面に高抵抗層を有する。中間転写ベルト４２１は、制御部１０１からの制御信号によって回転駆動される。
【００３９】
一次転写ローラー４２２は、各色成分の感光体ドラム４１３に対向して、中間転写ベルト４２１の内周面側に配置される。中間転写ベルト４２１を挟んで、一次転写ローラー４２２が感光体ドラム４１３に圧接されることにより、感光体ドラム４１３から中間転写ベルト４２１へトナー像を転写するための一次転写ニップが形成される。
【００４０】
二次転写ローラー４２４は、駆動ローラー４２３Ａのベルト走行方向下流側に配置されるバックアップローラー４２３Ｂに対向して、中間転写ベルト４２１の外周面側に配置される。中間転写ベルト４２１を挟んで、二次転写ローラー４２４がバックアップローラー４２３Ｂに圧接されることにより、中間転写ベルト４２１から用紙Ｓへトナー像を転写するための二次転写ニップが形成される。
【００４１】
一次転写ニップを中間転写ベルト４２１が通過する際、感光体ドラム４１３上のトナー像が中間転写ベルト４２１に順次重ねて一次転写される。具体的には、一次転写ローラー４２２に一次転写バイアスを印加し、中間転写ベルト４２１の裏面側、つまり一次転写ローラー４２２と当接する側にトナーと逆極性の電荷を付与することにより、トナー像は中間転写ベルト４２１に静電的に転写される。
【００４２】
その後、用紙Ｓが二次転写ニップを通過する際、中間転写ベルト４２１上のトナー像が用紙Ｓに二次転写される。具体的には、二次転写ローラー４２４に二次転写バイアスを印加し、用紙Ｓの裏面側、つまり二次転写ローラー４２４と当接する側にトナーと逆極性の電荷を付与することにより、トナー像は用紙Ｓに静電的に転写される。トナー像が転写された用紙Ｓは定着部６０に向けて搬送される。
【００４３】
ベルトクリーニング装置４２６は、二次転写後に中間転写ベルト４２１の表面に残留する転写残トナーを除去する。
【００４４】
定着部６０は、用紙Ｓの定着面、つまりトナー像が形成されている面側に配置される定着面側部材を有する上側定着部６０Ａ、用紙Ｓの裏面つまり定着面の反対の面側に配置される裏面側支持部材を有する下側定着部６０Ｂ、および加熱源等を備える。定着面側部材に裏面側支持部材が圧接されることにより、用紙Ｓを挟持して搬送する定着ニップが形成される。
【００４５】
定着部６０は、トナー像が二次転写され、搬送されてきた用紙Ｓを定着ニップで加熱、加圧することにより、用紙Ｓにトナー像を定着させる。定着部６０は、定着器Ｆ内にユニットとして配置される。
【００４６】
上側定着部６０Ａは、定着面側部材である無端状の定着ベルト６１、加熱ローラー６２および定着ローラー６３を有する。定着ベルト６１は、加熱ローラー６２と定着ローラー６３とによって張架されている。
【００４７】
下側定着部６０Ｂは、裏面側支持部材である加圧ローラー６４を有する。加圧ローラー６４は、定着ベルト６１との間で用紙Ｓを挟持して搬送する定着ニップを形成している。
【００４８】
用紙搬送部５０は、給紙部５１、排紙部５２、及び搬送経路部５３等を備える。給紙部５１を構成する３つの給紙トレイユニット５１ａ〜５１ｃには、坪量やサイズ等に基づいて識別された用紙Ｓ（規格用紙、特殊用紙）が予め設定された種類毎に収容される。搬送経路部５３は、レジストローラー対５３ａを含む複数の搬送ローラー対を有する。レジストローラー対５３ａが配設されたレジストローラー部は、用紙Ｓの傾きおよび片寄りを補正する。
【００４９】
給紙トレイユニット５１ａ〜５１ｃに収容されている用紙Ｓは、最上部から一枚ずつ送出され、搬送経路部５３により画像形成部４０に搬送される。画像形成部４０においては、中間転写ベルト４２１のトナー像が用紙Ｓの一方の面に一括して二次転写され、定着部６０において定着工程が施される。画像形成された用紙Ｓは、排紙ローラー５２ａを備えた排紙部５２により機外に排紙される。
【００５０】
また、定着部６０の下流側には、測色部７３が設けられている。測色部７３は、用紙Ｓに形成された画像を測色し、その測色結果である出力情報を検出する。測色対象となる画像は、画質補正などのために予め用意された所定のパターンではなく、実際にユーザーが出力しようとしている所望の画像である。測色部７３は、本発明の「出力情報検出部」に対応する。
【００５１】
測色部７３は、出力情報の検出結果を制御部１０１に出力する。用紙Ｓに形成された出力画像は、画像形成装置１において入力された入力画像と一致することが好ましいが、周囲の環境、用紙の種類や耐久条件に応じて、出力画像と入力画像とが一致しない場合がある。そのため、制御部１０１は、測色部７３による検出結果に基づいて用紙Ｓの出力画像の補正を行う。
【００５２】
図１に示すように、用紙Ｓ１に形成された出力画像（ブルー（Ｂｌｕｅ）の画像と、シアン（Ｃｙａｎ）の画像）を測色部７３により測色する。そして、測色部７３による検出結果を、制御部１０１を介して画像形成部４０にフィードバックして、当該検出結果に基づいて用紙Ｓ１の後の用紙Ｓ４の出力画像の補正を行うことが可能となる。
【００５３】
用紙Ｓ１は、本発明の「第１用紙」に対応し、用紙Ｓ１の出力画像は、本発明の「第１画像」に対応する。用紙Ｓ４は、本発明の「第３用紙」に対応し、用紙Ｓ４の出力画像は、本発明の「第３画像」に対応する。
【００５４】
なお、本実施の形態では、測色される用紙（用紙Ｓ１）の３枚（所定枚数）後に画像形成される用紙（用紙Ｓ４）の出力画像に、測色される用紙の測色結果に基づく補正が反映されるように設定される。また、所定枚数は、画像形成条件や用紙条件等に応じて適宜設定される枚数である。
【００５５】
具体的には、用紙Ｓ１における出力画像の情報は、シアンとマゼンタの混合色であるブルーの画像から推定される、シアンの推定情報及びマゼンタの推定情報と、シアンの画像から実測された情報であるシアンの実測情報とである。
【００５６】
ここで、ユーザーが所望する画像であって、所定のパターンとは異なる画像は、出力画像の補正に必要な色が揃っているとは限らないので、出力画像の補正に用いられる情報としては、できるだけ多い方が好ましい。なお、所定のパターンとは、例えば、パッチ画像等のような出力画像の補正のために画像形成されるテストパターンである。
【００５７】
また、実測情報は、Ｙ，Ｍ，Ｃ，Ｋの何れかの色である特定色の画像から実測される情報であり、当該特定色に起因する濃度ムラ等が反映された情報となるので、出力画像の補正に用いる場合、精度の良い補正を行うことが可能となる。それに対し、推定情報は、特定色を含む複数色の混合色の画像情報から特定色の画像情報を推定した情報であり、混合される各色の濃度ムラ等が含まれる情報となるので、実測情報と比較すると、出力画像の補正の精度はやや落ちてしまう。
【００５８】
例えば、用紙Ｓ４の出力画像にシアンの画像が含まれる場合、用紙Ｓ１の出力画像からは、シアンの推定情報と、シアンの実測情報とが得られる。この場合、推定情報と実測情報と複数の情報が得られ、かつ、その中に実測情報が含まれることから、シアンの画像については精度の良い補正が可能であると考えられる。
【００５９】
一方、用紙Ｓ４の出力画像において、マゼンタの画像が含まれる場合、用紙Ｓ１の出力画像からは、マゼンタの推定情報のみが得られるので、マゼンタの画像についての補正は、シアンの画像についての補正と比べて、やや精度が落ちるものと考えられる。
【００６０】
ところで、用紙Ｓ１における出力画像を測色してから、画像形成部４０に検出結果がフィードバックされるまでの間、ある程度時間がかかる。図１では、用紙Ｓ１の後における、用紙Ｓ２，Ｓ３の次の用紙Ｓ４の出力画像の補正に反映される。その理由としては、用紙Ｓ１が測色されている間に、画像形成部４０において、用紙Ｓ２，Ｓ３に係る入力画像の情報が入力されているためである。
【００６１】
図１では、用紙Ｓ４の出力画像に用紙Ｓ１の検出結果に基づく補正を適用する場合、用紙Ｓ２，Ｓ３における出力画像については、用紙Ｓ４の出力画像の補正に用いられない。そして、用紙Ｓ２，Ｓ３の出力情報は補正前のデータとなってしまうので、用紙Ｓ４以降の用紙Ｓ５，Ｓ６には、用紙Ｓ２，Ｓ３の出力情報が用いられず、用紙Ｓ４の出力画像に適用された補正量が適用されることとなる。そのため、結果的に出力画像の補正に用いる情報が少なくなり、ひいては出力画像の補正の精度が低下するおそれがあった。
【００６２】
そこで、本実施の形態では、制御部１０１は、測色部７３による用紙Ｓ１の出力画像の検出結果と、用紙Ｓ２，Ｓ３に形成される出力画像の画像情報とに応じて、用紙Ｓ１，Ｓ２，Ｓ３の後の用紙Ｓ４に形成される出力画像の補正量を算出する。
【００６３】
制御部１０１は、測色部７３による用紙Ｓ２，Ｓ３の出力画像の検出結果と、用紙Ｓ４の出力画像の補正量との少なくとも一方を用いて、用紙Ｓ５，Ｓ６に形成される出力画像の補正量を算出する。
【００６４】
用紙Ｓ２，Ｓ３は、本発明の「第２用紙」に対応し、用紙Ｓ２，Ｓ３の出力画像は、本発明の「第２画像」に対応する。用紙Ｓ５，Ｓ６は、本発明の「第４用紙」に対応し、用紙Ｓ５，Ｓ６の出力画像は、本発明の「第４画像」に対応する。
【００６５】
そして、制御部１０１は、当該補正量に基づいて用紙Ｓ４，Ｓ５，Ｓ６の各出力画像を補正するように画像形成部４０を制御する。制御部１０１は、本発明の「補正量取得部」及び「補正量制御部」に対応する。
【００６６】
なお、本実施の形態では、画像形成条件における、予め設定された例えば現像バイアスの設定値に補正量を加算（減算）していくことにより出力画像の補正がなされる。
【００６７】
図１の場合、用紙Ｓ２の出力画像にマゼンタの画像が含まれるので、当該画像の実測情報を用紙Ｓ４以降の出力画像の補正に用いることができれば、用紙Ｓ１の推定情報のみの補正と比較して、良好な精度の補正を行うことができるものと考えられる。
【００６８】
このことを考慮すると、図４に示すように、制御部１０１は、用紙Ｓ４の出力画像については、用紙Ｓ１の出力情報に基づいて算出することにより、取得されるシアンの補正量のみを適用し、用紙Ｓ１の出力情報に基づいて算出されるマゼンタの補正量については適用しない。
【００６９】
つまり、制御部１０１は、用紙Ｓ１の出力情報の検出結果及び用紙Ｓ２の画像情報に基づいて、マゼンタの補正量については０と算出する。そして、制御部１０１は、用紙Ｓ５の出力画像について、用紙Ｓ２の出力情報に基づいて算出することにより、取得されるマゼンタの補正量を適用する。
【００７０】
このようにすることで、用紙Ｓ４については、マゼンタの補正は適用されないが、用紙Ｓ５以降の用紙については、良好な補正が期待される用紙Ｓ２の出力画像に基づく補正量が適用される。これにより、用紙Ｓ１における出力情報が検出されてから、その検出結果が画像形成部４０にフィードバックされるまでの間における用紙Ｓ２の出力情報を有効に活用することができる。
【００７１】
また、図５に示すように、用紙Ｓ３の出力画像にマゼンタのみの画像が含まれる場合、図４と同様の手法により補正を行うと、用紙Ｓ６について用紙Ｓ３の出力情報に基づく補正量が適用される。しかし、用紙Ｓ４，Ｓ５については、マゼンタの補正がなされないこととなる。
【００７２】
そのため、用紙Ｓ４，Ｓ５については、用紙Ｓ１の出力情報の検出結果及びＳ３の画像情報に基づいて、制御部１０１は、用紙Ｓ１の出力情報に基づく補正量を算出する。そして、用紙Ｓ６については、用紙Ｓ３の出力情報に基づく第１補正量から用紙Ｓ１の出力情報に基づく第２補正量を減じた第３補正量となるように、用紙Ｓ６の出力画像の補正量を算出する。つまり、第１補正量をＴ１、第２補正量をＴ２とすると、第３補正量は、Ｔ１−Ｔ２となる。
【００７３】
すでに用紙Ｓ４，Ｓ５には、第２補正量が適用された状態であるので、用紙Ｓ４の出力画像の第２補正量が適用される前、つまり、補正量が０である時を基準とすると、用紙Ｓ６の出力画像の第３補正量は、（Ｔ１−Ｔ２）＋Ｔ２＝Ｔ１となる。すなわち、結果的に用紙Ｓ６の出力画像の補正量を、図４の用紙Ｓ５における補正量と同様の補正量、つまり、第２補正量を用紙Ｓ４，Ｓ５の出力画像に適用しない場合と、同様の補正量とすることができる。また、用紙Ｓ４，Ｓ５についても、不足なく補正を行うことができる。
【００７４】
また、推定情報による補正の場合、特定色以外のその他色も含まれるので、例えば、その他色に起因する補正量が大きい場合、特定色の補正量が過剰となってしまう可能性がある。そのため、制御部１０１は、用紙Ｓ１，Ｓ２，Ｓ３の出力情報、つまり、測色部７３の測色結果のみに基づいて算出される仮補正量に適用割合を乗算することで、用紙Ｓ４，Ｓ５，Ｓ６の補正量を算出する。
【００７５】
本実施の形態では、用紙Ｓ４の仮補正量は、用紙Ｓ１の出力情報から算出され、用紙Ｓ５の仮補正量は、用紙Ｓ２の出力情報から算出され、用紙Ｓ６の仮補正量は、用紙Ｓ３の出力情報から算出される。
【００７６】
適用割合は、各用紙の画像情報により設定される信頼度に応じて変動する。信頼度は、出力情報から得られる補正量が、出力画像の変動量を正確に補正できるか否かの正らしさを示す情報である。各画像情報に設定された信頼度のうち、高い方の信頼度の画像に基づいて算出される仮補正量の適用割合は、低い方の信頼度の画像に基づいて算出される仮補正量の適用割合よりも大きくなるように設定される。
【００７７】
信頼度は、例えば、出力情報から得られる情報が推定情報であるか実測情報であるかで決定される。具体的には、特定色のみの画像情報、つまり、実測情報が含まれる第１画像情報に設定される信頼度は、特定色を含む複数色から混合された混合色の画像情報、つまり、推定情報が含まれ、かつ、特定色のみの画像情報が含まれない第２画像情報に設定される信頼度よりも高くなるように設定される。
【００７８】
また、用紙上の画素の数によって信頼度が設定されても良い。用紙上に特定色の画素の数が比較的多い場合、補正に用いられる情報が多くなるので、有効な情報が増えるものと考えられる。そのため、用紙上の画素の数が多いほど、信頼度が高くなるように設定される。言い換えると、信頼度は、画像情報に含まれる画素の数が少なくなるほど、低くなるように設定される。
【００７９】
また、用紙上の画素の位置によって信頼度が決定されても良い。例えば用紙の特定の部分に画像が集中して配置されているよりも分散して配置されている方が、特定位置に起因した濃度ムラ等の影響を受けない情報となる可能性が高くなる。そのため、用紙上の画素の分散度合いが多いほど、信頼度が高くなるように設定される。信頼度は、画像情報に含まれる複数の画素の分散度合いが少ないほど、低くなるように設定される。
【００８０】
なお、ここでいう画素の分散とは、用紙上における画素間の距離であり、複数のデータがある場合、距離の最大値や平均値等を、当該距離としても良い。
【００８１】
次に、補正量の算出の例について図６を用いて説明する。図６は、補正量算出に用いられるパラメーターと、補正量の算出結果とを示す図である。
【００８２】
図６における「用紙」は、出力情報が検出される用紙を示す。つまり、「用紙」は、図１、図４及び図５における用紙Ｓ１，Ｓ２，Ｓ３を示す。図６における「補正適用用紙」は、「用紙」において算出された補正量が適用される用紙を示している。つまり、「補正適用用紙」は、図１、図４及び図５における用紙Ｓ４，Ｓ５，Ｓ６を示す。
【００８３】
図６に示す例では、図１、図４及び図５と同様に、測色部により測色される測色用紙から３枚後の用紙に、当該測色用紙に基づいて算出される補正量が適用される例を示している。つまり、用紙Ｓ１に基づいて算出される補正量は、用紙Ｓ２，Ｓ３の後の用紙Ｓ４に適用され、用紙Ｓ２に基づいて算出される補正量は、用紙Ｓ５に適用され、用紙Ｓ３に基づいて算出される補正量は、用紙Ｓ６に適用される。
【００８４】
図６における「色」は、画像の色を示し、「Ｙ」はイエロー、「Ｍ」はマゼンタ、「Ｃ」はシアン、「Ｋ」はブラックを示す。図６における「色の情報」は、実測情報又は推定情報の何れかの情報であるかを示す。図６における「画素位置」は、用紙上の画像の位置を示す。「画素位置」における「中央」は用紙における中央付近に画像が位置することを示し、「左端」は用紙における左端付近に画像が位置することを示し、「右端」は用紙における右端付近に画像が位置することを示している。また、「仮補正量」、「色の情報」、「画素位置」は、補正量算出に用いられるパラメーターである。
【００８５】
また、図６に示す例での補正量は、補正量を算出する補正適用用紙の１枚前の用紙に適用された適用済み補正量を、補正適用用紙の補正に用いられる用紙の仮補正量から減じたものに、当該用紙に設定された適用割合を乗算することにより算出される。また、用紙Ｓ４については、その１枚前の用紙Ｓ３における適用済み補正量を０として補正量を算出している。
【００８６】
まず、用紙Ｓ１から得られる色の情報と、用紙Ｓ２から得られる色の情報とが異なる場合の例について説明する。なお、図６Ａでは、補正に用いる色はイエローの場合であり、画素位置は用紙Ｓ１，Ｓ２ともに中央である場合を示している。
【００８７】
図６Ａに示すように、制御部１０１は、用紙Ｓ１の画像情報と用紙Ｓ２の画像情報とを比較して、各画像情報に信頼度を設定する。用紙Ｓ１の色の情報は推定情報であり、用紙Ｓ２の色の情報は実測情報である。そのため、信頼度は、用紙Ｓ２の画像情報の方が用紙Ｓ１の画像情報よりも高くなるように設定される。具体的には、用紙Ｓ１の画像情報に設定される信頼度は５０％であり、用紙Ｓ２の画像情報に設定される信頼度は８０％である。
【００８８】
そして、制御部１０１は、各用紙Ｓ１，Ｓ２の画像情報に設定された信頼度に基づいて適用割合を決定する。図６Ａの例では、用紙Ｓ２の方が用紙Ｓ１よりも信頼度が高いため、用紙Ｓ２については適用割合が１００％に設定される。用紙Ｓ１については、推定情報であり、イエロー以外の色の影響を受ける可能性があるので、過剰補正となることを考慮して、適用割合が比較的低めの５０％に設定される。
【００８９】
この場合、用紙Ｓ１に対応する補正適用用紙Ｓ４の補正量は、用紙Ｓ１の出力情報から算出される仮補正量が１２０Ｖであると、１２０Ｖに適用済み補正量０を減じたものに適用割合５０％を乗算することで、６０Ｖとなる。
【００９０】
用紙Ｓ２に対応する補正適用用紙Ｓ５の補正量は、用紙Ｓ２の出力情報から算出される仮補正量が１００Ｖであると、１００Ｖに適用済み補正量である用紙Ｓ４の補正量６０Ｖを減じたものに適用割合１００％を乗算することで、４０Ｖとなる。これにより、用紙Ｓ４の補正量と用紙Ｓ５の補正量の和が１００Ｖとなり、信頼度の高い用紙Ｓ２から得られる仮補正量と同等の補正量とすることができる。
【００９１】
次に、用紙Ｓ１と用紙Ｓ２とで画像の数が異なる場合の例について説明する。なお、図６Ｂでは、補正に用いる色はマゼンタの場合であり、色の情報は用紙Ｓ１，Ｓ２ともに実測情報であり、画素位置は用紙Ｓ１，Ｓ２ともに中央である場合を示している。
【００９２】
図６Ｂに示すように、制御部１０１は、用紙Ｓ１の画像情報と用紙Ｓ２の画像情報とを比較して、各画像情報に信頼度を設定する。用紙Ｓ１の画像の数は１つであり、用紙Ｓ２の画像の数は２つである。そのため、信頼度は、用紙Ｓ２の画像情報の方が用紙Ｓ１の画像情報よりも高くなるように設定される。具体的には、用紙Ｓ１の画像情報に設定される信頼度は８０％であり、用紙Ｓ２の画像情報に設定される信頼度は９０％である。
【００９３】
そして、制御部１０１は、各用紙Ｓ１，Ｓ２の画像情報に設定された信頼度に基づいて適用割合を決定する。図６Ｂの例では、用紙Ｓ２の方が用紙Ｓ１よりも信頼度が高いため、用紙Ｓ２については適用割合が１００％に設定される。用紙Ｓ１については、適用割合が用紙Ｓ２の適用割合より低い８０％に設定される。用紙Ｓ１における適用割合が比較的高いのは、用紙Ｓ１から得られる情報が実測情報によるものであり、比較的信頼性の高い情報であるからである。
【００９４】
この場合、用紙Ｓ１に対応する補正適用用紙Ｓ４の補正量は、用紙Ｓ１の出力情報から算出される仮補正量が１００Ｖであると、１００Ｖに適用済み補正量０を減じたものに適用割合８０％を乗算することで、８０Ｖとなる。
【００９５】
用紙Ｓ２に対応する補正適用用紙Ｓ５の補正量は、用紙Ｓ２の出力情報から算出される仮補正量が６０Ｖ、１２０Ｖであると、これらを平均した９０Ｖに適用済み補正量である用紙Ｓ４の補正量８０Ｖを減じたものに適用割合１００％を乗算することで、１０Ｖとなる。これにより、用紙Ｓ４の補正量と用紙Ｓ５の補正量の和が９０Ｖとなり、信頼度の高い用紙Ｓ２から得られる仮補正量の平均と同等の補正量とすることができる。
【００９６】
次に、用紙Ｓ１と用紙Ｓ２とで画素位置が異なる場合の例について説明する。なお、図６Ｃでは、補正に用いる色はシアンの場合であり、色の情報は用紙Ｓ１，Ｓ２ともに実測情報であり、画像の数は用紙Ｓ１，Ｓ２ともに２つである場合を示している。
【００９７】
図６Ｃに示すように、制御部１０１は、用紙Ｓ１の画像情報と用紙Ｓ２の画像情報とを比較して、各画像情報に信頼度を設定する。用紙Ｓ１の画素位置は２つとも中央であり、用紙Ｓ２の画素位置は左端と右端である。用紙Ｓ１については、画素位置が中央に集中しているが、用紙Ｓ２については、画素位置が右端と左端とで分散して配置されている。つまり、用紙Ｓ２については、用紙Ｓ１よりも画像の分散度合いが多いので、画素位置に起因した濃度ムラ等の影響を用紙Ｓ１よりも受けにくい。
【００９８】
そのため、信頼度は、用紙Ｓ２の画像情報の方が用紙Ｓ１の画像情報よりも高くなるように設定される。具体的には、用紙Ｓ１の画像情報に設定される信頼度は９０％であり、用紙Ｓ２の画像情報に設定される信頼度は９５％である。
【００９９】
そして、制御部１０１は、各用紙Ｓ１，Ｓ２の画像情報に設定された信頼度に基づいて適用割合を決定する。図６Ｃの例では、用紙Ｓ２の方が用紙Ｓ１よりも信頼度が高いため、用紙Ｓ２については適用割合が１００％に設定される。用紙Ｓ１については、適用割合が用紙Ｓ２の適用割合より低い９０％に設定される。用紙Ｓ１における適用割合が比較的高いのは、用紙Ｓ１から得られる情報が、実測情報であり、かつ、画像の数が２つによるものであり、比較的信頼性の高い情報であるからである。
【０１００】
この場合、用紙Ｓ１に対応する補正適用用紙Ｓ４の補正量は、用紙Ｓ１の出力情報から算出される仮補正量が１００Ｖ、１２０Ｖであると、これらを平均した１１０Ｖに適用済み補正量０を減じたものに適用割合９０％を乗算することで、９９Ｖとなる。
【０１０１】
用紙Ｓ２に対応する補正適用用紙Ｓ５の補正量は、用紙Ｓ２の出力情報から算出される仮補正量が１２０Ｖ、８０Ｖであると、これらを平均した１００Ｖに適用済み補正量である用紙Ｓ４の補正量９９Ｖを減じたものに適用割合１００％を乗算することで、１Ｖとなる。これにより、用紙Ｓ４の補正量と用紙Ｓ５の補正量の和が１００Ｖとなり、信頼度の高い用紙Ｓ２から得られる仮補正量の平均と同等の補正量とすることができる。
【０１０２】
次に、用紙Ｓ１から得られる色の情報と、用紙Ｓ２から得られる色の情報とが異なる場合の例について説明する。なお、図６Ｄでは、補正に用いる色はブラックの場合であり、画素位置は用紙Ｓ１，Ｓ２ともに中央である場合を示している。
【０１０３】
図６Ｄに示すように、制御部１０１は、用紙Ｓ１の画像情報と用紙Ｓ２の画像情報とを比較して、各画像情報に信頼度を設定する。用紙Ｓ１の色の情報は実測情報であり、用紙Ｓ２の色の情報は推定情報である。そのため、信頼度は、用紙Ｓ１の画像情報の方が用紙Ｓ２の画像情報よりも高くなるように設定される。具体的には、用紙Ｓ１の画像情報に設定される信頼度は１００％であり、用紙Ｓ２の画像情報に設定される信頼度は５０％である。
【０１０４】
そして、制御部１０１は、各用紙Ｓ１，Ｓ２の画像情報に設定された信頼度に基づいて適用割合を決定する。図６Ｄの例では、用紙Ｓ１の方が用紙Ｓ２よりも信頼度が高いため、用紙Ｓ１については適用割合が１００％に設定される。用紙Ｓ２については、推定情報であり、信頼度の高い用紙Ｓ１から得られる情報により補正を行うことが好ましいことから、適用割合が０％に設定される。
【０１０５】
この場合、用紙Ｓ１に対応する補正適用用紙Ｓ４の補正量は、用紙Ｓ１の出力情報から算出される仮補正量が５０Ｖであると、５０Ｖに適用済み補正量０を減じたものに適用割合１００％を乗算することで、５０Ｖとなる。
【０１０６】
用紙Ｓ２に対応する補正適用用紙Ｓ５の補正量は、用紙Ｓ２の出力情報から算出される仮補正量が７０Ｖであると、７０Ｖに適用済み補正量である用紙Ｓ４の補正量５０Ｖを減じたものに適用割合０％を乗算することで、０Ｖとなる。これにより、用紙Ｓ４の補正量と用紙Ｓ５の補正量の和が５０Ｖとなり、信頼度の高い用紙Ｓ１から得られる仮補正量と同等の補正量とすることができる。
【０１０７】
次に、用紙Ｓ１〜Ｓ３の３枚における例について説明する。具体的には、用紙Ｓ１から得られる色の情報と、用紙Ｓ２から得られる色の情報と、用紙Ｓ３から得られる色の情報とが異なる場合の例について説明する。なお、図６Ｅでは、補正に用いる色はイエローの場合であり、画素位置は用紙Ｓ１〜Ｓ３ともに中央である場合を示している。
【０１０８】
図６Ｅに示すように、制御部１０１は、用紙Ｓ１の画像情報と用紙Ｓ２の画像情報と用紙Ｓ３の画像情報を比較して、各画像情報に信頼度を設定する。用紙Ｓ１の色の情報及び用紙Ｓ２の色の情報は推定情報であり、用紙Ｓ３の色の情報は実測情報である。
【０１０９】
そのため、信頼度は、用紙Ｓ３の画像情報の方が用紙Ｓ１の画像情報及び用紙Ｓ２の画像情報よりも高くなるように設定される。具体的には、用紙Ｓ１の画像情報に設定される信頼度及び用紙Ｓ２の画像情報に設定される信頼度は５０％であり、用紙Ｓ３の画像情報に設定される信頼度は８０％である。
【０１１０】
そして、制御部１０１は、各用紙Ｓ１，Ｓ２，Ｓ３の画像情報に設定された信頼度に基づいて適用割合を決定する。図６Ｅの例では、用紙Ｓ３の方が用紙Ｓ１，Ｓ２よりも信頼度が高いため、用紙Ｓ３については適用割合が１００％に設定される。用紙Ｓ１，Ｓ２については、推定情報であり、イエロー以外の色の影響を受ける可能性があるので、過剰補正となることを考慮して、適用割合が比較的低めの５０％に設定される。
【０１１１】
この場合、用紙Ｓ１に対応する補正適用用紙Ｓ４の補正量は、用紙Ｓ１の出力情報から算出される仮補正量が１００Ｖであると、１００Ｖに適用済み補正量０を減じたものに適用割合５０％を乗算することで、５０Ｖとなる。
【０１１２】
用紙Ｓ２に対応する補正適用用紙Ｓ５の補正量は、用紙Ｓ２の出力情報から算出される仮補正量が１１０Ｖであると、１１０Ｖに適用済み補正量５０Ｖを減じたものに適用割合５０％を乗算することで、３０Ｖとなる。
【０１１３】
用紙Ｓ３に対応する補正適用用紙Ｓ６の補正量は、用紙Ｓ３の出力情報から算出される仮補正量が７０Ｖであると、７０Ｖに適用済み補正量である用紙Ｓ４の補正量５０Ｖと、用紙Ｓ５の補正量３０Ｖとの和である８０Ｖを減じたものに適用割合１００％を乗算することで、−１０Ｖとなる。これにより、用紙Ｓ４の補正量と用紙Ｓ５の補正量と用紙Ｓ６の補正量の和が７０Ｖとなり、信頼度の高い用紙Ｓ３から得られる仮補正量と同等の補正量とすることができる。
【０１１４】
また、上記した例では、測色された用紙Ｓ１の出力情報に基づく補正が反映されるのが、３枚後の用紙Ｓ４であったが、当該補正が反映されるタイミングは、画像形成条件によって変動する。例えば、画像形成部４０から測色部７３までの距離に応じて当該タイミングが変動する。測色部７３において測色している際に、画像形成部４０に、次の用紙に形成される画像が入力されているためである。
【０１１５】
また、用紙条件に応じて当該タイミングが変動する。用紙の坪量、種類及びサイズに応じて画像形成装置１の動作速度や、画像形成部４０から測色部７３までの距離に対する枚数が変動するためである。また、制御部１０１における制御によっても当該タイミングが変動する。多様な演算処理の遅延や割り込み処理に起因して制御時間が変動するためである。
【０１１６】
出力情報に基づく補正が、例えば測色された測色用紙から数十枚後の補正適用用紙に反映されるような場合、補正適用用紙の出力画像の補正量を算出する際に得られるデータ量が多くなる。しかし、信頼度の高いデータが、測色用紙からかなり後にあるような場合、当該信頼度の高いデータに基づく補正がなされるまで、相当な数の用紙が印刷されてしまい、ひいては各用紙の出力画像の色変動が増大してしまう可能性がある。
【０１１７】
また、推定情報が多い場合、適切な補正とならない可能性があるので、その際、印刷終了した用紙において、印刷不良の発生したものが多くなり、ひいては再印刷が必要となる。また、印刷不良の発生したものについては、ユーザーがそれを取り除く手間が発生する。このことから、再印刷が必要となる枚数を最小限に抑えつつ、ユーザーの手間を低減できることが好ましい。
【０１１８】
そこで、本実施の形態では、制御部１０１は、印刷処理条件に応じて、算出した補正量を適用する適用タイミングを制御する。言い換えると、制御部１０１は、印刷処理条件に応じて、測色用紙（第１用紙）と補正適用用紙（第３用紙）との間に設定されている所定枚数を変更する制御を行う。なお、この制御は、制御部１０１が自動で判断しても良いし、ユーザーの設定により行われるようにしても良い。
【０１１９】
所定枚数は、測色用紙と補正適用用紙の間に画像形成される用紙の枚数である。つまり、補正適用用紙は、測色用紙の所定枚数後に画像形成される。印刷処理条件としては、ページ数や部数等が挙げられる。
【０１２０】
例えば、ページ数が少なく部数が多いような印刷処理の場合、最初の部の１ページ目に基づいて算出された補正量の適用を、異なる部の１ページ目に適用するように適用タイミングを変更する。例えば、一部のページ数が５ページしかないような場合、上記のように測色用紙の３枚後の補正適用用紙に補正量を適用すると、用紙Ｓ１，Ｓ２の次の用紙Ｓ３により算出された補正量については、次の部の１ページ目の用紙に適用される。
【０１２１】
こうなると用紙Ｓ１，Ｓ２，Ｓ３による一連の補正処理の途中で部が変わってしまうこととなる。すなわち、最初の部において、４ページ目と５ページ目のみが補正処理がされていることとなる。部におけるページ数が少ない場合、当該部の中で、補正処理されていないものと補正処理されたものが混在すると、両者の画像差が目立ってしまう可能性がある。
【０１２２】
そこで、このような場合に、異なる部の１ページ目から補正処理を適用するようにすることで、補正処理をされていない部と、補正処理をされた部とを明確に切り分けることができる。補正処理をされていない部については、印刷不良と判断されるほどの画像差が全体的にないものについては、再印刷する必要がないと判断することができる。また、印刷不良となるものについては、部毎に処理することができる。その結果、再印刷する際の作業を単純化することができるので、再印刷が必要となる枚数を最小限に抑えつつ、ユーザーの手間を低減できる。
【０１２３】
また、ページ数が多く部数が少ないような印刷処理の場合、できるだけ早く補正量を適用するように適用タイミングを変更する。このようにすることで、印刷不良となる部分の用紙数を最小限にし、ユーザーコストを低減することができる。
【０１２４】
また、印刷処理条件としては、同一の画像が複数ページに連続してあるような条件が挙げられる。このような場合、当該複数ページが終了したタイミングになるように、補正量の適用タイミングを変更する。異なる画像になる場合、色の変動を視認しにくいため、結果的に印刷不良と判断されるような画像差となりにくい。そのため、印刷不良と判断されるような用紙が発生する可能性を低減することができる。
【０１２５】
次に、画像形成装置１における補正制御を実行するときの動作例について説明する。図７は、画像形成装置１における補正制御を実行するときの動作例の一例を示すフローチャートである。図７における処理は、制御部１０１が印刷処理の実行指示を受け付けたときに実行される。
【０１２６】
図７に示すように、制御部１０１は、印刷処理における各用紙の画像情報を取得する（ステップＳ１０１）。次に、制御部１０１は、印刷処理の条件から補正量の適用タイミングを決定する（ステップＳ１０２）。
【０１２７】
次に、制御部１０１は、各用紙の画像情報における信頼度を決定する（ステップＳ１０３）。次に、制御部１０１は、各用紙に形成される出力画像の仮補正量に乗算される適用割合を決定する（ステップＳ１０４）。次に、制御部１０１は、画像形成処理を実行する（ステップＳ１０５）。なお、ステップＳ１０５における画像形成条件には、後述するステップＳ１０７において補正量が算出されている場合、当該補正量が適用された条件となる。
【０１２８】
次に、制御部１０１は、画像形成された用紙の測色処理を実行する（ステップＳ１０６）。次に、制御部１０１は、測色処理された用紙の出力情報及び画像情報に基づいて補正量を算出する（ステップＳ１０７）。
【０１２９】
次に、制御部１０１は、印刷処理が終了したか否かについて判定する（ステップＳ１０８）。判定の結果、印刷処理が終了していない場合（ステップＳ１０８、ＮＯ）、制御部１０１は、補正量を画像形成部４０にフィードバックして画像形成条件に適用する（ステップＳ１０９）。ステップＳ１０９の後、処理はステップＳ１０５に戻る。一方、印刷処理が終了した場合（ステップＳ１０８、ＹＥＳ）、本制御は終了する。
【０１３０】
以上のように構成された本実施の形態によれば、ユーザーが所望する画像であって、所定のパターンとは異なる画像に基づいて出力画像の補正を行う。そのため、補正用パッチを形成しないため、トナーの消費を抑制することができるとともに、補正用パッチのために印刷処理を中断しないので、生産性の低下を抑制することができる。
【０１３１】
また、用紙Ｓ１の出力情報と、用紙Ｓ２，Ｓ３の画像情報とに応じて用紙Ｓ４の出力画像の補正量を算出するとともに、用紙Ｓ２，Ｓ３の出力情報と、用紙Ｓ４の補正量の少なくとも一方を用いて用紙Ｓ５，Ｓ６の補正量を算出する。これにより、出力画像の補正に用いる情報を不足なく活用することができ、ひいては出力画像の補正を精度良く行うことができる。
【０１３２】
また、用紙Ｓ１，Ｓ２，Ｓ３の出力情報に基づいて算出される仮補正量の適用割合を用いて、出力画像の補正量を算出するので、当該補正量を適切な量に合わせやすくすることができる。そのため、出力画像の補正処理の効率を向上させることができる。
【０１３３】
また、適用割合は、画像情報に応じて設定される信頼度に基づいて決定されるので、信頼度の高い画像情報を優先して出力画像の補正量を算出することができる。
【０１３４】
なお、上記実施の形態では、出力画像の単色に係る補正について例示したが、本発明はこれに限定されず、例えば、出力画像の混合色に係る補正を同様に行っても良い。
【０１３５】
また、上記実施の形態では、信頼度の比較的低いものも補正に適用すべく適用割合を補正量の算出に用いたが、本発明はこれに限定されない。例えば、信頼度の最も高いもののみを補正量の算出に用いても良い。
【０１３６】
また、上記実施の形態では、元々設定されている現像バイアス等の設定値に補正量を加算していく構成であったが、本発明はこれに限定されず、当該設定値を直接変更するように構成しても良い。
【０１３７】
その他、上記実施の形態は、何れも本発明を実施するにあたっての具体化の一例を示したものに過ぎず、これらによって本発明の技術的範囲が限定的に解釈されてはならないものである。すなわち、本発明はその要旨、またはその主要な特徴から逸脱することなく、様々な形で実施することができる。
【符号の説明】
【０１３８】
１  画像形成装置
４０  画像形成部
７３  測色部
１０１  制御部
【図１】
2019040018.tif 000003
【図２】
2019040018.tif 000004
【図３】
2019040018.tif 000005
【図４】
2019040018.tif 000006
【図５】
2019040018.tif 000007
【図６】
2019040018.tif 000008
【図７】
2019040018.tif 000009